(57)【特許請求の範囲】
【請求項１】
室内機に、室内熱交換器と、送風ファンと、空気吹出口に上下方向に回動可能に軸支され風向きを垂直方向に変化させる風向上下羽根と、空気吹出口近傍に左右方向に回動可能に軸支され風向きを水平方向に変化させ、空気吹出口中央を境に左右２分割される複数の風向左右羽根と、駆動源と、前記駆動源の動力を前記風向左右羽根に伝える動力伝達機構手段とを備え、前記動力伝達機構手段は前記駆動源の回転軸に連結し、駆動源の回転運動を直線運動に変換するロッドと、前記ロッドに連結され左右に移動する第１の連結体および前記第１の連結体に連結した第２の連結体と、前記第１と第２の連結体の連結部より得た動力が回転運動に変換され、この動力により回動する第１のカムおよび前記連結部に一部を連結し、前記第１のカムと同軸に配設して前記風向左右羽根の第１の風向左右羽根を左右に回転させるキャップセンターと、前記第１のカムの回転により左右へ移動し、前記風向左右羽根の第１の風向左右羽根を左右に回転させるレバーアームと、前記第２の連結体の他端に軸支し、左右への直線運動を回転運動に変換し、前記風向左右羽根の第２の風向左右羽根を左右に回転させる第２のカムとを有し、前記キャップセンターと前記第１のカムに当てリブを形成し、前記風向左右羽根の回転角度を設定することを特徴とする空気調和機の風向変更装置。
【請求項２】
室内機に、室内熱交換器と、送風ファンと、空気吹出口に上下方向に回動可能に軸支され風向きを垂直方向に変化させる風向上下羽根と、空気吹出口近傍に左右方向に回動可能に軸支され風向きを水平方向に変化させ、空気吹出口中央を境に左右２分割される複数の風向左右羽根と、駆動源と、前記駆動源の動力を前記風向左右羽根に伝える動力伝達機構手段とを備え、前記動力伝達機構手段は前記駆動源の回転軸に連結し、駆動源の回転運動を直線運動に変換するロッドと、前記ロッドに連結され左右に移動する第１の連結体および前記第１の連結体に連結した第２の連結体と、前記第１と第２の連結体の連結部より得た動力が回転運動に変換され、この動力により回動する第１のカムおよび前記連結部に一部を連結し、前記第１のカムと同軸に配設して前記風向左右羽根の第１の風向左右羽根を左右に回転させるキャップセンターと、前記第１のカムの回転により左右へ移動し、前記風向左右羽根の第１の風向左右羽根を左右に回転させるレバーアームと、前記第２の連結体の他端に軸支し、左右への直線運動を回転運動に変換し、前記風向左右羽根の第２の風向左右羽根を左右に回転させる第２のカムとを有し、上記吹出口に当てリブを形成し、前記当てリブに第１の連結体を当接させて前記風向左右羽根の回転角度を設定することを特徴とする空気調和機の風向変更装置。
【請求項３】
室内機に、室内熱交換器と、送風ファンと、空気吹出口に上下方向に回動可能に軸支され風向きを垂直方向に変化させる風向上下羽根と、空気吹出口近傍に左右方向に回動可能に軸支され風向きを水平方向に変化させ、空気吹出口中央を境に左右２分割される複数の風向左右羽根と、駆動源と、前記駆動源の動力を前記風向左右羽根に伝える動力伝達機構手段とを備え、前記動力伝達機構手段は前記駆動源の回転軸に連結し、駆動源の回転運動を直線運動に変換するロッドと、前記ロッドに連結され左右に移動する第１の連結体および前記第１の連結体に連結した第２の連結体と、前記第１と第２の連結体の連結部より得た動力が回転運動に変換され、この動力により回動する第１のカムおよび前記連結部に一部を連結し、前記第１のカムと同軸に配設して前記風向左右羽根の第１の風向左右羽根を左右に回転させるキャップセンターと、前記第１のカムの回転により左右へ移動し、前記風向左右羽根の第１の風向左右羽根を左右に回転させるレバーアームと、前記第２の連結体の他端に軸支し、左右への直線運動を回転運動に変換し、前記風向左右羽根の第２の風向左右羽根を左右に回転させる第２のカムとを有し、上記駆動源を保護する保護カバーに当てリブを形成し、前記当てリブにロッドを当接させて前記風向左右羽根の回転角度を設定することを特徴とする空気調和機の風向変更装置。
【請求項４】
上記第１と第２の連結体の連結部を、着脱自在で、かつ連結した第１と第２の連結体が一定の形状を保持できるように構成したことを特徴とする請求項１〜３のいずれかに記載の空気調和機の風向変更装置。
【発明の詳細な説明】
【０００１】
【発明の属する技術分野】
本発明は、空気調和機の室内機に関し、特に室内機の吹出口から放出される風の風向きを調整する風向変更装置に係る。
【０００２】
【従来の技術】
居住空間は、空気調和機により暖房または冷房、除湿等を行う場合、自然に近い気流を再現することにより、居住空間の快適性を向上したい場合がある。かかる場合に、従来は以下のような空気調和機の風向変更装置が用いられていた。
【０００３】
図９は、従来の空気調和機の室内機を示す断面図である。図９において、１０１は前面カバー、１０２は空気の吸込口、１０３は熱交換器、１０４は送風ファン、１０５はリアガイダ、１０６はスタビライザ、１０８は空気の吹出口である。送風ファン１０４により空気吸込口１０２から導入された空気が、スタビライザ１０６とリアガイダ１０５により形成された送風路１０７を介して、空気吹出口１０８から送出される。そして、空気吹出口１０８近傍には、複数の風向左右羽根１１０が左右方向に回動自在に軸支されており、風の流れを左右方向に変化させる。また、空気吹出口１０８には、風向上下羽根１０９が上下方向に回動自在に軸支されており、風の流れを上下方向に変化させる。
【０００４】
図１０（ａ）および（ｂ）は、風向左右羽根１１０の状態を示す概略図である。風向左右羽根１１０は、空気吹出口１０８の中心を境に左右に分かれ、さらに、空気吹出口の中央部１０８ａ近傍の風向左右羽根１１０ａと、空気吹出口の左右部１０８ｂ近傍の風向左右羽根１１０ｂに分かれて配置されている。空気吹出口左右部の風向左右羽根１１０ｂのうち、空気吹出口の両端に位置する数枚の風向左右羽根１１０ｃは、回動軸に対して傾斜して設置されている。
【０００５】
風向左右羽根１１０ａおよび１１０ｂは、区分ごとに連結棧１１３によって連結されており、空気吹出口左右部の風向左右羽根１１０ｂは、可動式のレバーアーム１１２上に支持されている。図１０（ａ）に示すように、定常状態においては、全ての風向左右羽根１１０の角度は、吹出し方向に平行な位置に設定されている。
【０００６】
これにより、左右方向に均一な吹出し流が創出される。一方、図１０（ｂ）に示すように、集中的な吹出し流を送出する場合は、空気吹出口中央部の風向左右羽根１１０ａの角度は、やや内向きの平行位置に回転し、空気吹出口左右部の風向左右羽根１１０ｂは、左右羽根１１０ｂ自身が風を遮蔽するように回転すると共に左右羽根１１０ｂを保持するレバーアーム１１２が正面上方から見て逆ハの字状に回転する。
【０００７】
レバーアーム１１２を逆ハの字状に回転させるのは、送風ファンのバサツキ音を防止し、空気の流れを中央の空気吹出口１０８ａに収束させるためである。かかる風向左右羽根１１０の配置により、左右の空気吹出口１０８ｂがほぼ遮蔽され、空気の流れが中央の吹出口中央１０８ａに収束される結果、中央の空気吹出口１０８ａから集中的な吹出し流が送出される。風向左右羽根１１０は、駆動源であるステッピングモータ１１１の設定された回転運動（回転角度）を伝達され、回動する。
【０００８】
しかし、上記従来の技術においては、駆動源であるステッピングモータ１１１には設計上どうしても、その回転角度には遊びがあり、したがって風向左右羽根１１０の左右への回動は設定角度よりズレを生じ、風向変更が適切にならなかった。
【０００９】
【発明が解決しようとする課題】
上記従来の技術の問題点に鑑み、本発明が解決しようとする課題は、制御や構成が簡素で安価な風向左右変更装置を提供することにある。
【００１０】
【課題を解決するための手段】
上記目的を達成するために、本発明の請求項１記載に係る発明は、室内機に、室内熱交換器と、送風ファンと、空気吹出口に上下方向に回動可能に軸支され風向きを垂直方向に変化させる風向上下羽根と、空気吹出口近傍に左右方向に回動可能に軸支され風向きを水平方向に変化させ、空気吹出口中央を境に左右２分割される複数の風向左右羽根と、駆動源と、前記駆動源の動力を前記風向左右羽根に伝える動力伝達機構手段とを備え、前記動力伝達機構手段は前記駆動源の回転軸に連結し、駆動源の回転運動を直線運動に変換するロッドと、前記ロッドに連結され左右に移動する第１の連結体および前記第１の連結体に連結した第２の連結体と、前記第１と第２の連結体の連結部より得た動力が回転運動に変換され、この動力により回動する第１のカムおよび前記連結部に一部を連結し、前記第１のカムと同軸に配設して前記風向左右羽根の第１の風向左右羽根を左右に回転させるキャップセンターと、前記第１のカムの回転により左右へ移動し、前記風向左右羽根の第１の風向左右羽根を左右に回転させるレバーアームと、前記第２の連結体の他端に軸支し、左右への直線運動を回転運動に変換し、前記風向左右羽根の第２の風向左右羽根を左右に回転させる第２のカムとを有し、前記キャップセンターと前記第１のカムに当てリブを形成し、前記風向左右羽根の回転角度を設定する空気調和機の風向変更装置である。
【００１１】
また、請求項２記載に係る発明は、室内機に、室内熱交換器と、送風ファンと、空気吹出口に上下方向に回動可能に軸支され風向きを垂直方向に変化させる風向上下羽根と、空気吹出口近傍に左右方向に回動可能に軸支され風向きを水平方向に変化させ、空気吹出口中央を境に左右２分割される複数の風向左右羽根と、駆動源と、前記駆動源の動力を前記風向左右羽根に伝える動力伝達機構手段とを備え、前記動力伝達機構手段は前記駆動源の回転軸に連結し、駆動源の回転運動を直線運動に変換するロッドと、前記ロッドに連結され左右に移動する第１の連結体および前記第１の連結体に連結した第２の連結体と、前記第１と第２の連結体の連結部より得た動力が回転運動に変換され、この動力により回動する第１のカムおよび前記連結部に一部を連結し、前記第１のカムと同軸に配設して前記風向左右羽根の第１の風向左右羽根を左右に回転させるキャップセンターと、前記第１のカムの回転により左右へ移動し、前記風向左右羽根の第１の風向左右羽根を左右に回転させるレバーアームと、前記第２の連結体の他端に軸支し、左右への直線運動を回転運動に変換し、前記風向左右羽根の第２の風向左右羽根を左右に回転させる第２のカムとを有し、上記吹出口に当てリブを形成し、前記当てリブに第１の連結体を当接させて前記風向左右羽根の回転角度を設定する空気調和機の風向変更装置である。
【００１２】
また、請求項３記載に係る発明は、室内機に、室内熱交換器と、送風ファンと、空気吹出口に上下方向に回動可能に軸支され風向きを垂直方向に変化させる風向上下羽根と、空気吹出口近傍に左右方向に回動可能に軸支され風向きを水平方向に変化させ、空気吹出口中央を境に左右２分割される複数の風向左右羽根と、駆動源と、前記駆動源の動力を前記風向左右羽根に伝える動力伝達機構手段とを備え、前記動力伝達機構手段は前記駆動源の回転軸に連結し、駆動源の回転運動を直線運動に変換するロッドと、前記ロッドに連結され左右に移動する第１の連結体および前記第１の連結体に連結した第２の連結体と、前記第１と第２の連結体の連結部より得た動力が回転運動に変換され、この動力により回動する第１のカムおよび前記連結部に一部を連結し、前記第１のカムと同軸に配設して前記風向左右羽根の第１の風向左右羽根を左右に回転させるキャップセンターと、前記第１のカムの回転により左右へ移動し、前記風向左右羽根の第１の風向左右羽根を左右に回転させるレバーアームと、前記第２の連結体の他端に軸支し、左右への直線運動を回転運動に変換し、前記風向左右羽根の第２の風向左右羽根を左右に回転させる第２のカムとを有し、上記駆動源を保護する保護カバーに当てリブを形成し、前記当てリブにロッドを当接させて前記風向左右羽根の回転角度を設定する空気調和機の風向変更装置である。
【００１３】
上記各技術手段によれば、当てリブが第１のカム、または第１の連結体、またはロッドと当接して風向左右羽根の回転角度を設定することが可能になる。
【００１４】
また、請求項４記載に係る発明は、上記第１と第２の連結体の連結部を、着脱自在で、かつ連結した第１と第２の連結体が一定の形状を保持できるように構成した空気調和機の風向変更装置で、第１と第２の連結体は連結部でもって予め形状を一定に保持すること可能になる。
【００１５】
【発明の実施の形態】
以下本発明の空気調和機の風向変更装置について図面を参照しながら説明する。
【００１６】
（実施の形態１）
図１は、本発明の風向変更装置を搭載した空気調和機の室内機を示す平面図で、図２は、そのＸ―Ｘ線断面図である。図１および２において、１は前面カバー、２は空気の吸込口、３は室内熱交換器、４は送風ファン、５はリアガイダ、６はスタビライザ、８は空気吹出口である。送風ファン４により空気吸込口２から導入された空気が、スタビライザ６とリアガイダ５により形成された送風路７を介して、空気吹出口８から送出される。そして、空気吹出口８近傍には、複数の風向左右羽根２０が左右方向に回動自在に軸支されており、風の流れを略水平方向に変化させる。また、空気吹出口８には、風向上下羽根１９が上下方向に回動自在に軸支されており、風の流れを垂直方向に変化させる。風向上下羽根１９は、水平方向に３分割されており、中央の風向上下羽根（中央風向上下羽根）１９ａと、左右の風向上下羽根（左右風向上下羽根）１９ｂから成る。左右風向上下羽根１９ｂは互いに連動する一方、中央風向上下羽根１９ａは独立に回動可能である。これらの風向上下羽根１９ａおよび１９ｂはステッピングモータ等の駆動源にて回動する。
【００１７】
図３は、風向左右羽根２０の配置を示す概略図である。風向左右羽根２０は、空気吹出口８の中心を境に両側に別れており、さらに中央風向上下羽根１９ａ近傍にある中央風向左右羽根２０ａと左右風向上下羽根１９ｂ近傍にある左右風向左右羽根２０ｂとに別れ配置されている。左右風向左右羽根２０ｂのうち、両端に位置する数枚の風向左右羽根２０ｃは、その回動軸に対して傾斜して設置されている。中央と左右の風向左右羽根２０ａおよび２０ｂは、区分ごとに連結棧２３によって連結されており、左右風向左右羽根２０ｂは、略水平方向に回動自在に軸支されたレバーアーム２２上に支持されている。
【００１８】
図４は、風向変更装置の風向左右羽根の駆動関係を示す概略図で、ステッピングモータ２１の動力を風向左右羽根２０ａ、２０ｂに伝える動力伝達機構手段を示すものである。以下に動力伝達機構手段を説明する。２１は固定されるステッピングモータで、先端が角型の回転軸２１ａを有する。２４はロッドで、長穴２４ｂを回転軸２１ａに係合して駆動源であるステッピングモータ２１の回転運動を直線運動に変換する。第１の連結体２５は、一端部に設けた軸または穴２５ａを、ロッド２４の他端に設けた穴または軸２４ａに軸支し、かつ他端部には穴２５ｂを形成している。
【００１９】
複数の左右風向左右羽根２０ｂは、レバーアーム２２上に支持された連結棧２３により回動自在に連結され、レバーアーム２２はその中央に設けた複数の爪２２ａを空気吹出口８に設けた軸穴８ｃに回動可能に装着している。従って、空気吹出口８に係合させたレバーアーム２２は軸穴８ｃを中心に回転できる。
【００２０】
第１のカム２６は、レバーアーム２２に対向して空気吹出口８の基板裏側に設けられ、その複数の爪２６ａで軸穴８ｃに回動可能に装着する。従って、空気吹出口８に係合させた第１のカム２６は軸穴８ｃを中心に回転でき、レバーアーム２２の複数の爪２２ａと第１のカム２６に設けた複数の爪２６ａが互いに噛合い連動する。
【００２１】
左右風向左右羽根２０ｂの軸２０ｄは、レバーアーム２２の中央に装着し、かつ空気吹出口８の軸穴８ｃを貫通して下方に延出し、軸穴８ｃの中心に位置する。キャップセンター２７は、中心穴２７ａと外周部の一部にロッド軸２７ｂを有し、第１のカム２６における一対の爪２６ｂに嵌合して第１のカム２６と同軸上に回転自在に配設されている。キャップセンター２７に設けた中心穴２７ａには、左右風向左右羽根２０ｂの軸２０ｄを係合させる。またキャップセンター２７は、そのロッド軸２７ｂを、第１の連結体２５の穴２５ｂに装着させることにより、直線運動を回転運動に変換し、中心穴２７ａに係合した軸２０ｄ、連結棧２３を介して連結棧２３により連結された複数の左右風向左右羽根２０ｂは左右に回動する。
【００２２】
また、第１のカム２６は、空気吹出口８の基板裏側の軸穴８ｃを中心とした円周上に形成したガイド軸８ｄに沿って回転運動をするガイド穴２６ｃを有し、さらに、第１のカム２６の外周に形成したガイド穴２６ｄに、ロッドセンター２８の一端のピン２８ａを遊合し、かつロッドセンター８の他端をキャップセンター２７のロッド軸２７ｂに軸支し、このロッド軸２７ｂと空気吹出口８に形成したガイド軸８ｄを連動させるロッドセンター２８により、第１の連結体２５の直線運動を第１のカム２６を回転運動に変換させることで、第１のカム２６を回転させ、噛合った爪により、係合したレバーアーム２２を回転させ、連結棧２３により連結された複数の左右風向左右羽根２０ｂは左右に回動する。
【００２３】
このように、一つの駆動源で左右風向左右羽根２０ｂを左右に回動し、同時にレバーアーム２２も軸穴８ｃを中心に回動させるものである。さらに、キャップセンター２７のロッド軸２７ｂに、第１の連結体２５とともに第２の連結体２９を連結することにより、連結棧３０により連結された複数の中央風向左右羽根２０ａを第２のカム３１を介して直線運動を回転運動に変換し、左右に回動させるものである。図中、３２はステッピングモータ２１を露付き等より保護するための保護カバーである。
【００２４】
上記構成の動力伝達機構手段において、ステッピングモータ２１の回転はロッド２４により直線運動に変換され、第１と第２の連結体２５、２９は左右に移動し、第１と第２の連結体２５、２９の連結部Ａに軸支したロッド軸２７ｂを中心にキャップセンター２７が回転して回転運動に変換され、一方、ロッドセンター２８を介して第１のカム２６も回転し、レバーアーム２２、連結棧２３を介して第１の風向左右羽根である風向左右羽根２０ｂをキャップセンター２７で直接に、また第１のカム２６、レバーアーム２２を介して左右に回転させ、また第１と第２の連結体２５、２９の左右への移動を回転運動に変換した第２のカム３１により、第２の風向左右羽根である風向左右羽根２０ａを左右に回転させるのである。
【００２５】
以上説明した動力伝達機構手段では、動力源にステッピングモータ２１を使用しているので、その回転角度には遊びがあり、したがって風向左右羽根２０の左右への回動は設定角度よりズレを生じることになる。
【００２６】
然るに本実施の形態では、ステッピングモータ２１の回転角度の遊びを、動力伝達機構手段において規制して風向左右羽根２０の左右への回転角度にズレが起こらないようにするため、その一手段として図５に示す構成を採用したものである。
【００２７】
図５において、図４に示した第１のカム２６、キャップセンター２７の構成を理解しやすくするため、実装するときと反対に裏がえして示しており、キャップセンター２７は、その中心穴２７ａを中心とした円周上に、２つの凸状の当てリブ２７ｃを形成し、第１のカム２６の円周上に形成した凸状のストッパー２６ｅにキャップセンター２７の回転運動において凸状の当てリブ２７ｃと凸状のストッパー２６ｅを当て回転角度を規制し、物理的（機構的）に風向左右羽根２０の左右への羽根回動を行わせ、設計目標通りの羽根回転角度を創出することができる。
【００２８】
すなわち、キャップセンター２７は、その切り込み２７ｄを第１のカム２６のストッパー２６ｅに合わせて第１のカム２６内に嵌合し、爪２６ａと爪２６ｂの間に挟持された状態で回転する。従って、ロッド軸２７ｂを介して第１の連結体２５の左右への移動で回転したキャップセンター２７の一定角度に配置している左右の当てリブ２７ｃに、回転する第１のカム２６のストッパー２６ｅが当ることにより、風向左右羽根２０ｂの回転角度が設計目標通りに設定されるのである。
【００２９】
（実施の形態２）
本実施の形態は、実施の形態１と同様に、ステッピングモータ２１の回転角度の遊びを、動力伝達機構手段において規制して風向左右羽根２０の左右への回動角度にズレが起こらないようにするため、その一手段として図６（ａ）、（ｂ）に示す構成を採用し、それ以外の図１〜図４の構成は実施の形態１と同じなので詳細な説明は省略する。
【００３０】
図６（ａ）、（ｂ）は、空気吹出口８の基板裏面に配置した第１の連結体２５が直線運動で左右に可動する始点と終点位置において当てリブ８ｅ、８ｆを空気吹出口８の基板裏面に設け、左右へ移動する第１の連結体２５の外壁を当てリブ８ｅ、８ｆに当接させるものである。従って、移動が規制された第１の連結体２５の連結部Ａに軸支したキャップセンター２７も、その回転角度が規制されることになり、物理的（機構的）に風向左右羽根２０の左右への羽根回動を行わせ、設計目標通りの羽根回転角度を創出することができる。
【００３１】
（実施の形態３）
本実施の形態は、実施の形態１と同様に、ステッピングモータ２１の回転角度の遊びを、動力伝達機構手段において規制して風向左右羽根２０の左右への回転角度にズレが起こらないようにするため、その一手段として図７に示す構成を採用し、それ以外の図１〜図４の構成は実施の形態１と同じなので詳細な説明は省略する。
【００３２】
図７は、風向左右羽根の回転角度の設定を示す概略図である。駆動源であるステッピングモータ２１には、露付き等より保護するため保護カバー３２が設けられ、この下面に２つの凸状の当てリブ３２ａを、ステッピングモータ２１の回転軸２１ａに軸支し、第１の連結体２５を長穴２４ｂに連結したロッド２４の回転運動の始点と終点位置に形成している。従って、ステッピングモータ２１の回転によりロッド２４が左右に回動して２つの凸状の当てリブ３２ａに当接し、回転角度が規制され、物理的（機械的）に風向左右羽根２０の左右への羽根回動を行わせ、設計目標通りの羽根回転角度を創出することができる。
【００３３】
（実施の形態４）
本実施の形態は、図４における第１の連結体２５と第２の連結体２９の連結部Ａに改良加えた処が、実施の形態１〜３の発明と異なるだけで、それ以外は同じなので詳細な説明を省略し、異なる処を中心に説明する。
【００３４】
第１の連結体２５と第２の連結体２９を第１のカム２６およびキャップセンター２７、ロッドセンター２８に結合して完成した組立て品を予め形成するものである。そこで、図８（ａ）では、第１の連結体２５と第２の連結体２９が所定の形状（ここでは略直線状）に成るように第２の連結体２９の端部にコ字状の連結部２９ａを、そして第１の連結体２５の端部に、コ字状の連結部２９ａに着脱可能に係合する凸状の連結部２５ａをそれぞれ形成している。図８（ｂ）は前記説明した図８（ａ）と逆に連結部２９ａ、２５ｂを形成したものである。このように第１の連結体２５と第２の連結体２９の連結部Ａでの構成により、予め所定の形状を保持することにより組立て時の作業を容易にすることができ、かつ前記説明した完成品としての部品としての納入形態も第１の連結体２５と第２の連結体２９が略直線状形状の一定となるため、安定した納品が行える。
【００３５】
【発明の効果】
以上説明したように本発明の請求項１、または請求項２、または請求項３記載に係る各発明は、室内機に、室内熱交換器と、送風ファンと、空気吹出口に上下方向に回動可能に軸支され風向きを垂直方向に変化させる風向上下羽根と、空気吹出口近傍に左右方向に回動可能に軸支され風向きを水平方向に変化させ、空気吹出口中央を境に左右２分割される複数の風向左右羽根と、駆動源と、前記駆動源の動力を前記風向左右羽根に伝える動力伝達機構手段とを備え、前記動力伝達機構手段は前記駆動源の回転軸に連結し、駆動源の回転運動を直線運動に変換するロッドと、前記ロッドに連結され左右に移動する第１の連結体および前記第１の連結体に連結した第２の連結体と、前記第１と第２の連結体の連結部より得た動力が回転運動に変換され、この動力により回動する第１のカムおよび前記連結部に一部を連結し、前記第１のカムと同軸に配設して前記風向左右羽根の第１の風向左右羽根を左右に回転させるキャップセンターと、前記第１のカムの回転により左右へ移動し、前記風向左右羽根の第１の風向左右羽根を左右に回転させるレバーアームと、前記第２の連結体の他端に軸支し、左右への直線運動を回転運動に変換し、前記風向左右羽根の第２の風向左右羽根を左右に回転させる第２のカムとを有し、前記キャップセンターと前記第１のカムに当てリブを形成し、前記風向左右羽根の回転角度を設定する構成、または空気吹出口に当てリブを形成して第１の連結体に接触させ羽根の回転角度を設定する構成、または駆動源を保護する保護カバーに当てリブを形成してロッドを接触させ羽根の回転角度を設定する構成とすることにより、駆動源の設定された回転角度の遊びによる角度のズレをなくす事ができ、安定した左右羽根の回動が得られるとともに、制御や構成が簡素で安価な風向変更装置を提供することができる。
【００３６】
請求項４記載に係る発明は、第１の連結体と第２の連結体における夫々の端部に、結合した時に第１の連結体と第２の連結体が所定の形状を保持する着脱可能な連結部を設けているので、組立て時の作業を容易にすることができるとともに例えば組立工程への納入形態も形状が一定となるため、安定した納品を行うことができる。
【図面の簡単な説明】
【図１】本発明の実施の形態１〜３における風向変更装置を搭載した空気調和機の室内機を示す正面図
【図２】図１に示す空気調和機のＸ―Ｘ線の断面図
【図３】同実施の形態１〜３における風向変更装置の風向左右羽根と風向上下羽根の配置を示す概略図
【図４】同実施の形態１〜３における風向変更装置の風向左右羽根の駆動関係を示す概略図
【図５】同実施の形態１における風向変更装置の風向左右羽根の回転角度設定を示す概略図
【図６】（ａ）本発明の実施の形態２における風向変更装置の風向左右羽根の回転角度設定を示す概略図
（ｂ）同実施の形態２における風向変更装置の風向左右羽根の回転角度設定を示す概略図
【図７】本発明の実施の形態３における風向変更装置の風向左右羽根の回転角度設定を示す概略図
【図８】（ａ）本発明の実施の形態４における風向変更装置の連結体の連結部を示す分解斜視図
（ｂ）同実施の形態４における風向変更装置の連結体の連結部を示す他の例の分解斜視図
【図９】従来の風向変更装置を有する空気調和機を示す断面図
【図１０】（ａ）同風向変更装置に係る風向左右羽根が空気吹出し口の全幅に風を流す状態を示す概略図
（ｂ）同風向変更装置に係る風向左右羽根が空気吹出し口の中央に風を流す状態を示す概略図
【符号の説明】
１  前面カバー
３  室内熱交換器
４  送風ファン
８  空気吹出口
８ｅ、８ｆ  当てリブ
２０  風向左右羽根
２１  ステッピングモータ（駆動源）
２２  レバーアーム
２４  ロッド
２５  第１の連結体
２５ａ、２９ａ  凹凸の連結部（連結部Ａ）
２６  第１のカム
２６ｅ  ストッパー
２７  キャップセンター
２７ｃ  凸状の当てリブ
２９  第２の連結体
３２  保護カバー
３２ａ  当てリブ
【図１】
0003780974.tif 000002
【図２】
0003780974.tif 000003
【図３】
0003780974.tif 000004
【図４】
0003780974.tif 000005
【図５】
0003780974.tif 000006
【図６】
0003780974.tif 000007
【図７】
0003780974.tif 000008
【図８】
0003780974.tif 000009
【図９】
0003780974.tif 000010
【図１０】
0003780974.tif 000011